(57)【要約】【課題】  片口金ランプ用ソケットにおいてランプの口金の接触箇所におけるトラッキング現象を防止する。【解決手段】  底面に複数本の口金ピンを突設した口金を有する片口金ランプの口金底面が圧接力をもって表面に接すると共に、表面に設けたピン挿通孔に導通用のピンが挿通される口金受け止め座をソケット本体の底板表面に設けた片口金ランプ用ソケットにおいて、ソケット本体１の口金受け止め座３のピン挿通孔Ｈ１の周辺箇所を凹陥させると共に、上記凹陥部５に弾性及び絶縁性に富むエラストマー製の受け座シート１０を嵌入し、口金底面は上記受け座シートに接するようにする。【選択図】      図１
2007305432.tif 000002
【特許請求の範囲】
【請求項１】
底面に複数本の口金ピンを突設した口金を有する片口金ランプの口金底面が圧接力をもって表面に接すると共に、表面に設けたピン挿通孔に導通用のピンが挿通される口金受け止め座をソケット本体の底板表面に設けた片口金ランプ用ソケットにおいて、ソケット本体の口金受け止め座のピン挿通孔の周辺箇所を凹陥させると共に、上記凹陥部に弾性及び絶縁性に富むエラストマー製の受け座シートを嵌入し、口金底面は上記受け座シートに接するようにしたことを特徴とする片口金ランプ用ソケット。
【請求項２】
受け座シートはシリコンゴム製である請求項１記載の片口金ランプ用ソケット。
【発明の詳細な説明】
【技術分野】
【０００１】
この発明は片口金ランプのソケットに関し、特にランプの口金の接触箇所におけるトラッキング現象の防止に意を払ったソケットに関する。
【背景技術】
【０００２】
底面に複数本の口金ピンを突設した口金を有するランプとしていわゆる片口金ランプが公知である。この種のランプの代表的なものとしては、一本のチューブを中央において折曲し、折曲両端を近接する形状とし、この折曲両端基部を耐熱絶縁素材により成形された口金により固定し、この口金底面に一対二組の導通用のピンが突設されたものが挙げられる。
【０００３】
そしてこの種のランプを装着するソケットとしては、口金の両端の突起を含む口金の片側面を抱持する壁体を成形し、このソケット本体の底板にランプの導通用のピンを挿通するピン挿通孔を設け、一方、壁体の両端面の内側には口金の両端の突起が収容されるべき切欠凹部を設けると共に、この切欠凹部内にはこの突起の一側に沿った形状にして、且つその頂上を庇状に覆う形状に先端を折曲した係止具を設けたもの（特許文献１）や、口金の両端の突起を含む口金の片側面を抱持する壁体を成形し、このソケット本体の底板にランプの導通用のピンを挿通するピン挿通孔を設け、一方、壁体の両端面の内側には口金の両端の突起が係止すべき係止部を設けたもの（特許文献２）が公知である。これらのソケットにおいては、ソケットの底板に口金の外側エッジを接し、これを支点としてランプを起こすように回動することによりピン挿通孔にピンが、係止部に突起が挿入嵌合係止されてランプがソケットに圧接力をもって装着された。
【特許文献１】特開平９−１６１９２２号公報
【特許文献２】特開平１−１６１６８６号公報
【発明の開示】
【発明が解決しようとする課題】
【０００４】
ところで、近年、ソケットに差し込んだピンの周辺に埃、湿気などが付着し、局部的に絶縁性能が低下した際に電流が流れ、微少なショートを起こして火花放電が繰り返され、その熱が絶縁部を加熱し表面に炭化経路（トラック）が形成され出火するトラッキング現象が大きな問題となっている。
【０００５】
前記の片口金ランプ用ソケットの場合、ランプの異極の導通用のピンが接近して配されるので、ピン間の導通のおそれがあり、口金底面やソケット側の接触面の平面精度のばらつきによって、これらの間に隙間が生じた場合は中に侵入した湿気や埃によりトラッキング現象が生じる危険があった。
【課題を解決するための手段】
【０００６】
この発明は、以上の課題を解決するために創作されたものであり、底面に複数本の口金ピンを突設した口金を有する片口金ランプの口金底面が圧接力をもって表面に接すると共に、表面に設けたピン挿通孔に導通用のピンが挿通される口金受け止め座をソケット本体の底板表面に設けた片口金ランプ用ソケットにおいて、ソケット本体の口金受け止め座のピン挿通孔の周辺箇所を凹陥させると共に、上記凹陥部に弾性及び絶縁性に富むエラストマー製の受け座シートを嵌入し、口金底面は上記受け座シートに接するようにしたことを特徴とする。
【発明の効果】
【０００７】
よって、この発明によればランプの口金底面は弾性及び絶縁性に富むエラストマー製の受け座シートを介してソケット本体の底板表面の口金受け止め座に圧接されるので、口金底面やソケット側の接触面の平面精度にばらつきがあっても、受け座シートが弾性変形によってこれらに密着することにより湿気や埃の温床となる隙間が生じにくい効果を奏する。又、ソケット本体と受け座シートは別部材なので、ソケット本体を構成する素材に対し、受け座シートを構成する素材の絶縁率を高めることによりショートのおそれを可及的に減少することも可能となる。
【発明を実施するための最良の形態】
【０００８】
図１はこの発明のソケットの分解状態の斜視図である。図中符号１はソケット本体であり、合成樹脂素材により構成される。このソケット本体１は片口金ランプＬの口金Ｓの両端の突起Ｓ１を含む口金の片側を抱持する内面形状の壁体２が上面に成形されると共に、この壁体２の両端面の内側には口金の両端の突起Ｓ１が適宜圧接手段をもって収容されるべき切欠４が設けられ、更にその前面には口金受け止め座３となるべき底板が張り出し成形される。上記口金受け止め座３の表面にはランプＬの４本のピンＰと同一数、同ピッチをとってこれらのピンを挿通するための挿入孔Ｈ１が穿設され、これらの挿入孔の下方には上記のピンＰの挿通時にこれらが接触すべき接触金具６が配される（図３参照）。
【０００９】
前記の口金受け止め座３のピン挿通孔Ｈ１の周辺箇所は凹陥されると共に、上記凹陥部５に口金受け止め座３のピン挿通孔Ｈ１に対応したピン挿通孔Ｈ２を有する受け座シート１０が嵌入される（図２参照）。上記受け座シート１０は弾性及び絶縁性に富むエラストマー製のものであることが要件であり、ここではそのような素材としてシリコンゴムを例示するが、素材はこれに限られないことは勿論である。
【００１０】
この発明は以上のように構成されるから、蛍光ランプの口金Ｓの片側のエッジをソケット本体１の底板に当接し、ピンＰをピン挿入孔Ｈ２、Ｈ１に臨ませ、口金の両端の突起Ｓ１を切欠４に臨ませてから蛍光ランプＬを口金のエッジを支点として起こすように回動すると、口金のピンＰは挿入孔Ｈ１に挿入されると共に、ランプの口金底面が圧接力をもって口金受け止め座３に当接する。この場合、ピン挿入孔周辺は受け座シート１０により覆われているので、ランプの口金底面は弾性及び絶縁性に富むエラストマー製の受け座シートを介してソケット本体の底板表面の口金受け止め座に圧接されることになり、受け座シートが弾性変形によってこれらに密着することとなる（図３参照）。
【図面の簡単な説明】
【００１１】
【図１】この発明の片口金ランプ用ソケットの分解斜視図。
【図２】同上、組み立て状態の斜視図。
【図３】同上、ランプを装着した状態の断面図。
【符号の説明】
【００１２】
１        ソケット本体
３        口金受け止め座３
５        凹陥部
１０      受け座シート
Ｈ１      ピン挿入孔
Ｈ２      ピン挿入孔
【図１】
2007305432.tif 000003
【図２】
2007305432.tif 000004
【図３】
2007305432.tif 000005